(57)【要約】【課題】明るい場所において、蓄光機能を備えた文字板における外観部の色調を表現しやすくすることができると共に、蓄光機能の存在を分かり難くする。【解決手段】時計用文字板１０は、ベース部材１２と、ベース部材１２の上に設けられ、複数層の積層体から構成され、光透過性を有する外観部１４と、外観部１４のベース部材１２側の裏面１４Ｂに設けられた蓄光材１６と、を有する。【選択図】図１
2020159833.tif 000002
【特許請求の範囲】
【請求項１】
ベース部材と、
前記ベース部材の上に設けられ、複数層の積層体から構成され、光透過性を有する外観部と、
前記外観部の前記ベース部材側の裏面に設けられた蓄光材と、
を有する時計用文字板。
【請求項２】
前記外観部の厚さが、位置によって変化している請求項１に記載の時計用文字板。
【請求項３】
前記外観部の表側の面に、光透過性を有する第１加飾部が設けられている請求項１又は請求項２に記載の時計用文字板。
【請求項４】
前記第１加飾部の光透過性が、位置によって変化している請求項３に記載の時計用文字板。
【請求項５】
前記外観部の前記裏面及び表側の面の少なくとも一方に、遮光性を有する第２加飾部が設けられている請求項１〜請求項４の何れか１項に記載の時計用文字板。
【請求項６】
ベース部材と、
前記ベース部材の上に設けられ、複数層の積層体から構成され、光透過性を有する外観部と、
前記ベース部材と前記外観部との間に設けられた蓄光材と、
を有する時計用文字板。
【請求項７】
請求項１〜請求項６の何れか１項に記載の時計用文字板を備えた時計。
【発明の詳細な説明】
【技術分野】
【０００１】
本発明の実施形態は、時計用文字板及び時計に関する。
【背景技術】
【０００２】
装飾部材、及び装飾部材を備えた時計が開示されている（特許文献１参照）。この装飾部材では、金属製の文字板の表面上に白色素材からなる下地層が形成され、下地層の表面上に蓄光性材料（蓄光性蛍光体）を含む蓄光層が形成され、蓄光層の表面上に透明なアクリル樹脂からなる被覆層が形成されている。
【先行技術文献】
【特許文献】
【０００３】
【特許文献１】特開平１１−２８１７６５号公報
【発明の概要】
【発明が解決しようとする課題】
【０００４】
しかしながら、時計では、光透過性を有する素材を文字板の外観部に用いることがある。この外観部を１層の構成とし、上記した従来例のように、外観部の表側の面又は裏面へ蓄光塗料の塗布を行った場合、発光前の蓄光塗料の素地の色調がそのまま現れてしまい、明るい場所で蓄光機能の存在が一見して分かってしまう可能性がある。また、蓄光塗料を塗布することで、外観部の本来の質感が損なわれるため、明るい場所での色調に限りが発生すると考えられる。更に、蓄光塗料の発光色が表示板の影響を受けて変化するため、蓄光塗料の発光色に限りが発生すると考えられる。このようなことから、光透過性を有する１層の外観部の表側の面又は裏面へ蓄光塗料の塗布を行うと、加飾性や表現が乏しくなることが懸念される。
【０００５】
本発明の実施形態は、上記事実を考慮して、明るい場所において、蓄光機能を備えた文字板における外観部の色調を表現しやすくすると共に、蓄光機能の存在を分かり難くすることを目的する。
【課題を解決するための手段】
【０００６】
第１の態様に係る時計用文字板は、ベース部材と、前記ベース部材の上に設けられ、複数層の積層体から構成され、光透過性を有する外観部と、前記外観部の前記ベース部材側の裏面に設けられた蓄光材と、を有する。
【０００７】
この時計用文字板では、外観部が複数層の積層体から構成されているので、外観部の裏面に設けられた蓄光材の細かい色相が外観部の表側の面に表れ難い。したがって、明るい場所において、外観部の本来の色調を表現しやすくすることができると共に、蓄光機能の存在を分かり難くすることができる。
【０００８】
第２の態様は、第１の態様に係る時計用文字板において、前記外観部の厚さが、位置によって変化している。
【０００９】
この時計用文字板では、外観部の厚さが位置によって変化しているので、外観部の光透過性が位置によって変化する。したがって、暗い場所での蓄光材の発光の明るさや色調を位置によって変化させるといった表現が可能となる。
【００１０】
第３の態様は、第１の態様又は第２の態様に係る時計用文字板において、前記外観部の表側の面に、光透過性を有する第１加飾部が設けられている。
【００１１】
この時計用文字板では、光透過性を有する第１加飾部により外観部の加飾性を高めつつ、第１加飾部を通じた蓄光材の発光も可能となる。このため、加飾の拡張性を高めることができる。
【００１２】
第４の態様は、第３の態様に係る時計用文字板において、前記第１加飾部の光透過性が、位置によって変化している。
【００１３】
第５の態様は、第１〜第４の態様の何れか１態様に係る時計用文字板において、前記外観部の前記裏面及び表側の面の少なくとも一方に、遮光性を有する第２加飾部が設けられている。
【００１４】
この時計用文字板では、明るい場所での蓄光材及び第２加飾部の存在を分かり難くしつつ、暗い場所での蓄光材の発光時には、遮光性を有する第２加飾部により蓄光材の発光領域を制限して、明るい場所での見え方とは異なる表現が可能となる。このため、外観部の加飾性を更に高めることができる。
【００１５】
第６の態様に係る時計用文字板は、ベース部材と、前記ベース部材の上に設けられ、複数層の積層体から構成され、光透過性を有する外観部と、前記ベース部材と前記外観部との間に設けられた蓄光材と、を有する。
【００１６】
この時計用文字板では、外観部が複数層の積層体から構成されているので、ベース部材と外観部との間に設けられた蓄光材の細かい色相が外観部の表側の面に表れ難い。したがって、明るい場所において、外観部の本来の色調を表現しやすくすることができると共に、蓄光機能の存在を分かり難くすることができる。なお、蓄光材は、外観部に接していてもよいし、接していなくてもよい。また、蓄光材は、ベース部材に接していてもよいし、接していなくてもよい。
【００１７】
第７の態様に係る時計は、第１〜第６の態様の何れか１態様に係る時計用文字板を備えている。
【００１８】
この時計では、時計用文字板の表現や加飾性を高めることで、商品価値を高めることができる。
【発明の効果】
【００１９】
本発明の実施形態によれば、明るい場所において、蓄光機能を備えた文字板における外観部の色調を表現しやすくすることができると共に、蓄光機能の存在を分かり難くすることができる。
【図面の簡単な説明】
【００２０】
【図１】第１実施形態に係る時計用文字板を示す拡大断面図である。
【図２】第２実施形態に係る時計用文字板を示す拡大断面図である。
【図３】第３実施形態に係る時計用文字板を示す拡大断面図である。
【図４】第４実施形態に係る時計用文字板を示す拡大断面図である。
【図５】第５実施形態に係る時計用文字板を示す拡大断面図である。
【図６】第６実施形態に係る時計用文字板を示す拡大断面図である。
【図７】第７実施形態に係る時計用文字板を示す拡大断面図である。
【図８】第１実施形態に係る時計用文字板が適用された時計において、暗い場所での時計用文字板の見え方を示す平面図である。
【図９】第２実施形態に係る時計用文字板が適用された時計において、暗い場所での時計用文字板の見え方を示す平面図である。
【図１０】第４実施形態に係る時計用文字板が適用された時計において、暗い場所での時計用文字板の見え方を示す平面図である。
【図１１】（Ａ）は、第５実施形態又は第６実施形態に係る時計用文字板が適用された時計において、暗い場所での時計用文字板の見え方を示す平面図である。（Ｂ）は、明るい場所での時計用文字板の見え方を示す拡大平面図である。（Ｃ）は、暗い場所での時計用文字板の見え方を示す拡大平面図である。
【発明を実施するための形態】
【００２１】
以下、本発明を実施するための形態を図面に基づき説明する。
【００２２】
［第１実施形態］
図１において、本実施形態に係る時計用文字板１０は、ベース部材１２と、外観部１４と、蓄光材１６とを有している。
【００２３】
ベース部材１２は、例えば板状に形成され、時計用文字板１０の形状に合わせて円形、楕円形、四角形、トノー形等の各種形状とされる。ベース部材１２の素材には、例えば金属や樹脂が用いられる。図示は省略するが、ベース部材１２は、時計１００（図１０）におけるムーブメントの上に配置される。
【００２４】
外観部１４は、ベース部材１２の上の一部領域又は全体領域に設けられ、複数層の積層体から構成され、光透過性を有する。積層体の素材には、貝殻、大理石、セラミック等が用いられる。外観部１４の厚さは、例えば０．１ｍｍ前後で一定とされる。この厚さは、外観部１４の光透過性の調整や、外観部１４の色調の調整のために適宜変更される。
【００２５】
蓄光材１６は、外観部１４のベース部材１２側の裏面１４Ｂに設けられている。蓄光材１６は、例えば蓄光塗料を外観部１４の裏面１４Ｂに塗布することで構成される。蓄光材１６は、例えば、ＭＡｌ２Ｏ４で表される化合物で、Ｍで表す金属元素は、ストロンチウム（Ｓｒ）、マグネシウム（Ｍｇ）およびバリウム（Ｂａ）からなる化合物を母結晶にすると共に、賦活剤としてユウロピウム（Ｅｕ）を含み、共賦活剤としてジスプロシウム（Ｄｙ）を含む蓄光性蛍光体である。
【００２６】
（作用）
本実施形態では、外観部１４が複数層の積層体から構成されており、外観部が一層の透明体で構成されている場合と比較して光をそのまま素通しすることがないので、外観部１４の裏面１４Ｂに設けられた蓄光材１６の細かい色相が外観部１４の表側の面１４Ａに表れ難い。したがって、明るい場所において、外観部１４の本来の色調を表現しやすくすることができると共に、蓄光機能の存在を分かり難くすることができる。
【００２７】
［第２実施形態］
図２において、本実施形態に係る時計用文字板２０では、第１実施形態において、外観部１４の厚さが位置によって変化している。図示の例では、外観部１４の厚さが、左側から右側に向かって一次曲線的に漸増している。なお、厚さの変化はこれに限られるものではなく、二次曲線的に増加してもよい。また、例えば外観部１４に対して、彫刻等によって溝を設けることにより、外観部１４の厚さが例えば周期的に増減している構造であってもよい。
【００２８】
（作用）
本実施形態では、外観部１４の厚さが位置によって変化しているので、外観部１４の光透過性が位置によって変化する。これにより、暗い場所での蓄光材１６の発光時に、外観部１４の発光の明るさや色調を位置によって変化させるといった表現が可能となる。
【００２９】
他の部分については、第１実施形態と同様であるので、同一の部分には図面に同一の符号を付し、説明を省略する。
【００３０】
［第３実施形態］
図３において、本実施形態に係る時計用文字板３０では、外観部１４の表側の面１４Ａに、光透過性を有する第１加飾部２１が設けられている。第１加飾部２１は、外観部１４の表側の面１４Ａに対する印刷、塗装、蒸着等の手段によって構成されている。第１加飾部２１は、外観部１４の表側の面１４Ａに対して彫刻等によって設けられた溝、等により構成されてもよい。本実施形態では、第１加飾部２１は均一の厚さ、均一の密度に形成されている。
【００３１】
（作用）
本実施形態では、光透過性を有する第１加飾部２１により外観部１４の加飾性を高めつつ、第１加飾部２１を通じた蓄光材１６の発光も可能となる。蓄光材１６の光が外観部１４及び第１加飾部２１を通過した場合、外観部１４の表側の面１４Ａでの発光具合は、当該光が外観部１４のみを通過した場合とは異なったものとなる。このため、加飾の拡張性を高めることができる。
【００３２】
他の部分については、第１実施形態と同様であるので、同一の部分には図面に同一の符号を付し、説明を省略する。
【００３３】
［第４実施形態］
図４において、本実施形態に係る時計用文字板４０では、第３実施形態において、第１加飾部２１の光透過性が位置によって変化している。図示の例では、右半分の領域における第１加飾部２１の厚さが、左側の領域の２倍とされている。第１加飾部２１の光透過性を変化させるために、第１加飾部２１の密度を位置によって変化させてもよい。
【００３４】
（作用）
本実施形態では、第１加飾部２１の光透過性が位置によって変化しているので、暗い場所での蓄光材１６の発光の明るさや色調を位置によって変化させることができる。またこれにより、グラデーションや模様等を表現できる。
【００３５】
他の部分については、第１実施形態又は第３実施形態と同様であるので、同一の部分には図面に同一の符号を付し、説明を省略する。
【００３６】
［第５実施形態］
図５において、本実施形態に係る時計用文字板５０では、第１実施形態において、外観部１４の裏面１４Ｂに、遮光性を有する第２加飾部２２が設けられている。第２加飾部２２は、外観部１４に対する印刷、塗装、蒸着等の手段によって構成されている。本実施形態では、第２加飾部２２は、外観部１４の裏面１４Ｂの中央部付近に部分的に設けられている。蓄光材１６は、第２加飾部２２の裏側を含む外観部１４の裏面１４Ｂに設けられている。つまり、蓄光材１６は、第２加飾部２２に重ねて設けられている。なお、第２加飾部２２は、外観部１４の表側の面１４Ａに設けられていてもよく、また外観部１４の表側の面１４Ａと裏面１４Ｂの双方に設けられていてもよい。
【００３７】
（作用）
本実施形態では、第１実施形態と同様に、明るい場所での蓄光材１６及び第２加飾部２２の存在を分かり難くしつつ、暗い場所での蓄光材１６の発光時には、遮光性を有する第２加飾部２２により蓄光材１６の発光領域を制限して、明るい場所での見え方とは異なる表現が可能となる。図５に示される例では、第２加飾部２２が外観部１４の裏面１４Ｂの中央部付近に部分的に設けられているので、蓄光材１６の光が第２加飾部２２の部分で遮られる。したがって、暗い場所で蓄光材１６が発光したとき、外観部１４の表側の面１４Ａでは、第２加飾部２２がある中央領域が比較的暗く見える。このように、本実施形態によれば、暗い場所での外観部１４の加飾性を更に高めることができる。
【００３８】
他の部分については、第１実施形態と同様であるので、同一の部分には図面に同一の符号を付し、説明を省略する。
【００３９】
［第６実施形態］
図６において、本実施形態に係る時計用文字板６０では、第５実施形態において、第２加飾部２２が外観部１４の裏面１４Ｂにおける右側の領域に偏って設けられている。
【００４０】
（作用）
本実施形態では、第２加飾部２２が外観部１４の裏面１４Ｂにおける右側の領域に偏って設けられているので、蓄光材１６の光が第２加飾部２２の部分で遮られる。したがって、暗い場所で蓄光材１６が発光したとき、外観部１４の表側の面１４Ａでは、第２加飾部２２がある右側領域が比較的暗く見える。このように、本実施形態によれば、外観部１４の加飾性を更に高めることができる。
【００４１】
他の部分については、第１実施形態又は第５実施形態と同様であるので、同一の部分には図面に同一の符号を付し、説明を省略する。
【００４２】
［第７実施形態］
図７において、本実施形態に係る時計用文字板７０では、穴１８が形成されたベース部材１２の上に外観部１４が設けられている。蓄光材１６は、ベース部材１２の穴１８の中において外観部１４の裏面１４Ｂに設けられている。図示の例では、ベース部材１２の厚さと蓄光材１６の厚さが同一であるが、蓄光材１６の厚さがベース部材１２より薄くてもよい。
【００４３】
（作用）
本実施形態では、第１実施形態と同様に、外観部１４が複数層の積層体から構成されているので、明るい場所において、蓄光機能を備えた文字板における外観部の色調を表現しやすくすることができると共に、蓄光機能の存在を分かり難くすることができる。また、暗い場所では、蓄光材１６が存在する部分のみが発光するので、明るい場所と暗い場所とで互いに異なる表現が可能となる。
【実施例】
【００４４】
図８には、第１実施形態に係る時計用文字板１０が適用された時計１００において、暗い場所での時計用文字板１０の見え方が示されている。この時計１００には、例えば、時針２４と、分針２６と、秒針２８と、２つの短針３２と、ぜんまいの巻上げ状態を示すパワーリザーブ表示用の針３４とが設けられている。外観部１４は、時計用文字板１０のうち、パワーリザーブ表示用の目盛３６に沿って弧状に配置されている。図１に示されるように、外観部１４の裏面１４Ｂには蓄光材１６が設けられている。しかしながら、外観部１４が積層体により構成されているため、蓄光材１６の細かい色相が外観部１４の表側の面１４Ａ（図１）に表れ難く、明るい場所では蓄光機能の存在が分かり難い。したがって、明るい場所において、外観部１４の色調を表現しやすくなる。一方、暗い場所では、外観部１４が全体的に発光して見えることで、明るい場所とは違った表現が可能となる。
【００４５】
図９には、第２実施形態に係る時計用文字板２０が適用された時計１００において、暗い場所での時計用文字板２０の見え方が示されている。時針２４等の配置については図８に示される例と同様である。この例では、弧状の外観部１４の厚さが、反時計回りに進むにしたがって漸増している。これにより、暗い場所では、外観部１４がグラデーション状に発光して見える。一方、明るい場所では、外観部１４は一様に見える。
【００４６】
図１０には、第４実施形態に係る時計用文字板４０が適用された時計１００において、暗い場所での時計用文字板４０の見え方が示されている。図１０には、時計用文字板４０だけでなく、胴３６と、リストバンド３７も示されている。針としては、時針２４と分針２６のみが設けられている。図１０では、外観部１４が時針２４の中心軸と６時の位置の間に示されているが、この外観部１４は時計用文字板４０の全面に設けられている。第１加飾部２１は、例えば幾何学的な模様であり、具体的には平面視で六角形の線と、六角形の中心から放射状に延びる直線等が組み合わされている。このような第１加飾部２１は、例えば外観部１４の表面に彫刻等によって設けられた溝、等により構成される。
【００４７】
この例では、第１加飾部２１や蓄光材１６（図４）の色相は外観部１４の表側の面１４Ａ（図４）に表れず、明るい場所では蓄光機能及び第１加飾部２１の存在が分かり難い。一方、暗い場所では、蓄光材１６の発光により第１加飾部２１が浮き上がって見えるようになる。第１加飾部２１及び外観部１４は、共に光透過性を有しているが、第１加飾部２１は外観部１４に重なっているので、第１加飾部２１がある部分とない部分とでは見え方が変化する。したがって、加飾性を高めることが可能である。
【００４８】
図１１（Ａ）には、第５実施形態又は第６実施形態に係る時計用文字板５０，６０が適用された時計１００において、暗い場所での時計用文字板５０，６０の見え方が示されている。針としては、時針２４、分針２６及び秒針２８が設けられている。この例では、外観部１４は、１時から３時、及び５時から１２時までの各目盛の部分に設けられている。４時の目盛の部分には、例えば日付表示窓４２が設けられている。
【００４９】
この例では、遮光性を有する第２加飾部２２が各々の外観部１４を縁取るように、該外観部１４に重なって設けられている。図１１（Ｂ）に示されるように、明るい場所では、第２加飾部２２や蓄光材１６（図５、図６）の細かい色相が外観部１４の表側の面１４Ａ（図５、図６）に表れず、明るい場所では第２加飾部２２及び蓄光機能の存在が分かり難い。一方、暗い場所では、図１１（Ａ），（Ｃ）に示されるように、蓄光材１６の発光により外観部１４が発光して見えるが、第２加飾部２２の部分は遮光性を有しているため光が遮られる。これにより、外観部１４が黒く縁取られて見える。明るい場所では見えなかった縁取りが、暗い場所では浮き上がって見えるようになるため、外観部１４の加飾性が更に高まる。
【００５０】
このように、時計用文字板の表現や加飾性を高めることで、時計１００の商品価値を高めることができる
【００５１】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００５２】
上記各実施形態は、適宜組み合わせて用いることができる。例えば第２実施形態と第４実施形態を組み合わせることで、暗い場所での外観部１４の発光の明るさや色調を、より幅広く表現できる。
【符号の説明】
【００５３】
１０    時計用文字板
１２    ベース部材
１４    外観部
１４Ａ  表側の面
１４Ｂ  裏面
１６    蓄光材
２０    時計用文字板
２１    第１加飾部
２２    第２加飾部
３０    時計用文字板
４０    時計用文字板
５０    時計用文字板
６０    時計用文字板
７０    時計用文字板
１００  時計
【図１】
2020159833.tif 000003
【図２】
2020159833.tif 000004
【図３】
2020159833.tif 000005
【図４】
2020159833.tif 000006
【図５】
2020159833.tif 000007
【図６】
2020159833.tif 000008
【図７】
2020159833.tif 000009
【図８】
2020159833.tif 000010
【図９】
2020159833.tif 000011
【図１０】
2020159833.tif 000012
【図１１】
2020159833.tif 000013